(57)【要約】      （修正有）【課題】ノイズが立体映像視聴用眼鏡に及ぼす影響を低減する立体映像視聴用眼鏡を提供する。【解決手段】立体映像視聴用眼鏡は、外部から受信したコマンドの入力の有効／無効を制御する入力切り替え部と、外部から受信したコマンドに基づいてコマンド毎の周期を算出するコマンド受信間隔算出部と、コマンド毎の周期に基づいて、次にコマンドを受信する期間を決定し、当該期間に入力切り替え部を有効に設定するコマンド受信期間制御部と、該コマンド受信期間制御部により入力切り替え部が有効にされた期間に外部から受信したコマンドに基づいて、視聴者の左右両眼に入射する光量を調整する左眼フィルタ部と右眼フィルタ部とを制御するフィルタ制御部とを備える。【選択図】図３
0003173405.tif 000002
【実用新案登録請求の範囲】
【請求項１】
外部から受信したコマンドの入力の有効／無効を制御する入力切り替え部と、
前記外部から受信したコマンドに基づいて、コマンド毎の周期を算出するコマンド受信間隔算出部と、
前記コマンド毎の周期に基づいて、次にコマンドを受信する期間を決定し、当該期間に前記入力切り替え部を有効に設定するコマンド受信期間制御部と、
前記コマンド受信期間制御部により入力切り替え部が有効にされた期間に外部から受信したコマンドに基づいて、視聴者の左右両眼に入射する光量を調整する左眼フィルタ部と右眼フィルタ部とを制御するフィルタ制御部と、
を備える立体映像視聴用眼鏡。
【請求項２】
前記コマンド受信期間制御部は、外部からのコマンドが受信できないと決定した期間については、前記入力切り替え部を無効に設定する、
請求項１に記載の立体映像視聴用眼鏡。
【請求項３】
前記コマンド受信期間制御部は、一つのコマンドとそれに続くコマンドとの受信時期が所定の時間以内の場合には、該一つのコマンドとそれに続くコマンドとの受信期間を同一の期間として決定する、
請求項１に記載の立体映像視聴用眼鏡。
【考案の詳細な説明】
【技術分野】
【０００１】
本発明は、立体映像を表示する立体映像表示装置から送信される同期信号を受信し、視聴者へ立体映像を視聴させるための立体映像視聴用眼鏡及びその制御方法に関する。
【背景技術】
【０００２】
立体映像を視聴する方法としては様々な方式が提案されている。その一つとして、立体映像を構成する左右両眼それぞれの視点での映像を時間的に交互に表示する表示装置と、該表示装置の左右それぞれの視点での映像の表示と同期して視聴者の左右それぞれの眼の前に設けられたシャッターを開閉する映像視聴用眼鏡と、により、視聴者が立体映像を視聴できる立体映像システムがある（例えば、特許文献１）。【０００３】
立体映像表示装置から、立体映像視聴用眼鏡へ同期信号を伝達する際に、無線や赤外線をつかったワイヤレス通信で伝送を行うと、立体映像視聴用眼鏡は同期信号以外のノイズ、例えば背景雑音（バックグラウンドノイズ）や他の機器が発する信号等、も受信する。立体映像視聴用眼鏡は、これらのノイズによりその制御が乱される可能性がある。
【先行技術文献】
【特許文献】
【０００４】
【特許文献１】米国特許第５６５４７４９号明細書
【考案の概要】
【０００５】
そこで、本出願の発明ではこれらのノイズが立体映像視聴用眼鏡に及ぼす影響を低減することを目的とするものである。
【０００６】
本発明の一局面に係る立体映像視聴用眼鏡は、外部から受信したコマンドの入力の有効／無効を制御する入力切り替え部と、外部から受信したコマンドに基づいてコマンド毎の周期を算出するコマンド受信間隔算出部と、コマンド毎の周期に基づいて、次にコマンドを受信する期間を決定し、当該期間に入力切り替え部を有効に設定するコマンド受信期間制御部と、コマンド受信期間制御部により入力切り替え部が有効にされた期間に外部から受信したコマンドに基づいて、視聴者の左右両眼に入射する光量を調整する左眼フィルタ部と右眼フィルタ部とを制御するフィルタ制御部と、を備える。
【図面の簡単な説明】
【０００７】
【図１】本実施の形態で説明する立体映像表示装置と立体映像視聴用眼鏡からなる立体映像システムの構成図である。
【図２】本実施の形態で説明する立体映像視聴用眼鏡のハードウェア構成図である。
【図３】本実施の形態で説明する立体映像視聴用眼鏡の機能構成図である。
【図４】立体映像視聴用眼鏡が受信するコマンドの受信タイミングとフィルタの開閉状態を示す図である。
【図５】本実施の形態で説明するコマンド受信期間制御部がコマンド受信期間を設定した場合の例を示す図である。
【図６】コマンド受信期間制御部が初期化時にコマンド受信を常に有効とする場合の図である。
【図７】コマンド受信期間制御部がコマンドを受信できなくなった場合に、コマンド受信を常に有効とする場合の図である。
【図８】コマンド受信間隔算出部がコマンドの受信周期を算出する処理を示すフローチャートである。
【考案を実施するための形態】
【０００８】
＜立体映像表示システム構成＞
図１は、立体映像を表示する映像表示装置１００と、映像表示装置１００が表示する立体映像を視聴する際に視聴者が装着する映像視聴用眼鏡１５０と、を備える映像表示システムを示した図である。
【０００９】
表示部１１０は、映像表示装置１００が視聴者に表示する映像を表示する部分である。立体映像を表示する場合は、時間軸上で、左眼用の映像と右眼用の映像を交互、又は、一定間隔毎に切り替えて表示する。
【００１０】
同期信号送信部１２０は、表示部１１０に表示する立体映像と同期した同期信号を外部、特に、映像視聴用眼鏡１５０へ送信する。なお、以下の説明では、同期信号の送受信に、赤外線を用いた場合を例として説明する。
【００１１】
映像視聴用眼鏡１５０は、右眼光学フィルタ部１６０と、左眼光学フィルタ部１７０と、同期信号受信部１８０と、を備える。
【００１２】
右眼光学フィルタ部１６０は、当該映像視聴用眼鏡１５０を着用した視聴者の右眼へ入射する光を制御する。より具体的には、映像表示装置１００の表示部１１０に表示された映像による光が右眼へ入射する光量、又は、光の特性を、調整、又は、変更する。
【００１３】
左眼光学フィルタ部１７０は、右眼光学フィルタ部１６０と同様に左眼へ入射する光を制御する。
【００１４】
同期信号受信部１８０は、映像表示装置１００の同期信号送信部１２０から送信される同期信号を受信する。
【００１５】
映像表示システムは、以上の構成を連携させて、視聴者へ立体映像を視聴させる。映像表示装置１００の表示部１１０には、立体映像が、例えば１２０Ｈｚの速度で、左眼用の映像と右眼用の映像を交互、又は、一定間隔毎に切り替えて表示する。同期信号送信部１２０は、表示部１１０に表示される左眼用の映像と右眼用の映像との切り替えと同期した同期信号を送信する。
【００１６】
映像視聴用眼鏡１５０は、映像表示装置１００の同期信号送信部１２０から出力された同期信号を同期信号受信部１８０で受信する。映像視聴用眼鏡１５０は、同期信号を受信すると、受信した同期信号に基づいて左眼光学フィルタ部１７０と右眼光学フィルタ部１６０とを制御して、映像視聴用眼鏡１５０を着用した視聴者の左眼、右眼へ入射する光量、又は、光の特性を制御する。例えば、映像表示装置の表示部１１０に左眼用の映像が表示されていることを示す同期信号を受信すると、左眼光学フィルタ部１７０を制御して左眼へ入射する光量を増大させる。このとき、右眼光学フィルタ部１６０では、右眼へ入射する光量を減光させる。この結果、視聴者は表示部１１０に表示された左眼用の映像を、左眼で視聴し、右眼では視聴しないこととなる。反対に、表示部１１０に表示される映像が右眼用の映像であることを示す同期信号を受信すると、左眼光学フィルタ部１７０は、左眼へ入射する光量を減光し、右眼光学フィルタ部１６０は、右眼へ入射する光量を増大させる。この結果、表示部１１０に表示された右眼用の映像は、視聴者の右眼で視聴し、左眼では視聴しないこととなる。
【００１７】
この際、表示部１１０に表示される左眼用の映像と右眼用の映像が、視聴者の視差の分だけ異なる映像であった場合、視聴者は、表示部１１０に表示される映像に視差があると知覚する。その結果、表示部１１０が略平面状の形態を持つ表示デバイスであっても、そこに表示される映像が立体的であると視聴者は感じることができる。
【００１８】
＜立体映像視聴眼鏡のハードウェア構成＞
図２は、映像視聴用眼鏡１５０のハードウェア構成を示した図である。映像視聴用眼鏡１５０は、ハードウェア構成として、赤外線受光センサ（ＩＲセンサ）２０１と、アンプ２０２と、ＬＥＤ２０３と、ＣＰＵ２０４と、スイッチ（ＳＷ）２０５と、ＲＯＭ２０６と、ＲＡＭ２０７と、クロック（ＣＬＫ）２０８と、アナログスイッチ２０９と、シャッター２１０と、アナログスイッチ２１１と、シャッター２１２とを有する。
【００１９】
ＩＲセンサ２０１は、立体映像表示装置１００から送信される同期信号を受信するセンサである。ＩＲセンサ２０１は、受光した赤外線を電気信号に変換する。本実施の形態では同期信号は赤外線により伝搬させるものとして説明するが、これに限定するものではない。無線のようにワイヤレス方式により同期信号が伝搬されるものであれば他の方式を用いても良い。
【００２０】
アンプ２０２は、ＩＲセンサ２０１が出力した電気信号を後段の処理ブロックで処理しやすいよう、適切に電気信号を増幅等する。
【００２１】
ＬＥＤ２０３は、立体映像視聴用眼鏡１５０が動作中、又は、スイッチ２０５を入力して電源を入れた場合にユーザにその動作内容を明示するために、点灯等するものである。
【００２２】
ＣＰＵ２０４は、立体映像視聴用眼鏡１５０の全般を制御する。本実施の形態では、ＣＰＵを例として説明するが、これ以外にもＤＳＰやＦＰＧＡ等で同様の処理を行うものであってもよい。
【００２３】
スイッチ（ＳＷ）２０５は、外部から立体映像視聴用眼鏡１５０への入力を実現するインターフェースである。
【００２４】
ＲＯＭ２０６は、ＣＰＵ２０４等が動作するためのプログラムや、動作パラメータ、初期値等を保持する。ＲＯＭ２０６は、書換え可能なフラッシュメモリ等を用いるものであっても良い。
【００２５】
ＲＡＭ２０７は、ＣＰＵ２０４のプログラムが動作時に一時的に保持する変数値等を保持する。
【００２６】
クロック（ＣＬＫ）２０８は、ＣＰＵ２０４やその他のハードウェア構成部を動作させるための基準クロックを発振する。
【００２７】
アナログスイッチ２０９、２１１は、後述するシャッター２１０、２１２の開閉動作を駆動させるための駆動処理を行う。二つのアナログスイッチ２０９と２１１が設けられているのは、左右両眼のシャッター２１０、２１２をそれぞれに駆動させるために必要となるからである。
【００２８】
シャッター２１０、２１２は、視聴者の左右それぞれの眼の前に設けられ、立体映像表示装置１００が表示する映像と同期して開閉される。
【００２９】
＜立体映像視聴眼鏡の機能構成＞
図３は、立体映像視聴用眼鏡１５０の機能構成を示す図である。立体映像視聴用眼鏡１５０は、機能構成として、受信部３０１と、増幅部３０２と、表示部３０３と、演算部３０４と、入力部３０５と、メモリ部３０６と、基準信号生成部３０７と、駆動部３０８と、左眼フィルタ部３０９と、右眼フィルタ部３１０と、を有する。
【００３０】
受信部３０１は、立体映像表示装置１００から送信される同期信号を受信する。受信部３０１は、図２のＩＲセンサ２０１に相当する。
【００３１】
増幅部３０２は、受信部３０１が受信した信号を増幅する。増幅部３０２は、図２のアンプ２０２に相当する。
【００３２】
表示部３０３は、立体映像視聴用眼鏡１５０がユーザに各種の情報を表示する。表示部３０３は、図２でいえばＬＥＤ２０３に相当するが、表示方式はＬＥＤに限定されるものではない。その他の方式でユーザに情報を表示するものであればいずれの実現方法であってもよい。
【００３３】
演算部３０４は、立体映像視聴用眼鏡１５０の全体制御を行う。演算部３０４は、図２のＣＰＵ２０４に相当する。
【００３４】
入力部３０５は、ユーザーからの各種指示等を受け付ける。入力部３０５は、図２のスイッチ２０５に相当する。
【００３５】
メモリ部３０６は、各種の情報を恒久的に、又は一時的に保持する。メモリ部３０６は、図２のＲＯＭ２０６、ＲＡＭ２０７に相当する。
【００３６】
基準信号生成部３０７は、演算部３０４等が動作に必要とする基準信号を生成する。基準信号生成部３０７は、図２のクロック２０８に相当する。
【００３７】
駆動部３０８は、後述する左眼フィルタ部３０９や右眼フィルタ部３１０のシャッター等を動作させる信号を生成して出力する。駆動部３０８は、図２のアナログスイッチ２０９、２１１に相当する。
【００３８】
左眼フィルタ部３０９、右眼フィルタ部３１０は、視聴者の左右の眼へ入射する光量を制御する。左目フィルタ部３０９、右眼フィルタ部３１０は、図２のシャッター２１０、２１２に相当する。
【００３９】
演算部３０４は、さらに入力切り替え部３１１と、コマンド受信間隔算出部３１２と、コマンド受信期間制御部３１３と、フィルタ制御部３１４と、を有する。
【００４０】
入力切り替え部３１１は、受信部３０１、増幅部３０２から入力される同期信号を演算部３０４が受け付けるか否かを制御する。入力切り替え部３１１は、例えば図２のＣＰＵ２０４における入力ポートの有効／無効等に相当する。
【００４１】
コマンド受信間隔算出部３１２は、受信部３１０等で受信する各種信号の受信周期を算出する。受信周期の算出方法については後述する。
【００４２】
コマンド受信期間制御部３１３は、コマンド受信間隔算出部３１２により算出された各種信号の受信周期に基づいて、外部からの受信信号（コマンド等）を受け付ける期間と受け付けない期間とを決定する。コマンド受信期間制御部３１３は、決定した受信期間の間だけ、入力切り替え部３１１を制御することで、外部からの受信信号を後述するフィルタ制御部３１４に取り込む。
【００４３】
フィルタ制御部３１４は、外部からの受信信号に従って、フィルタ駆動部３０８を介して左眼フィルタ部３０９と、右眼フィルタ部３１０との開閉を制御する。
【００４４】
なお、本実施の形態で説明する図３の機能構成と図２のハードウェア構成の対応は、一例であり、本出願の発明はこの対応関係に限定するものではない。
【００４５】
＜コマンド受信信号の周期の算出＞
図４は、受信信号の受信タイミングを示す図である。図４（ａ−１）は、左眼フィルタ部３０９の開閉状態を示す図である。信号がＨｉｇｈの期間は、フィルタが開いている（透過する光量が多い）ことを示す。信号がＬｏｗの期間はフィルタが閉じている（透過する光量が少ない）ことを示す。図４（ａ−２）は、右眼フィルタ部３１０の開閉状態を示す図である。図４（ａ−１）の場合と同様に、信号がＨｉｇｈの期間はフィルタが開いている、信号がＬｏｗの期間はフィルタが閉まっている、ことを示す。
【００４６】
図４（ｂ）は、受信部３０１等により受信される受信信号のタイミングを示す図である。第１の信号（第１のコマンド）は左眼フィルタ部３０９を開けることを意味する。第２の信号（第２のコマンド）は、左眼フィルタ部３０９を閉めることを意味する。第３の信号（第３のコマンド）は、右眼フィルタ部３１０を開けることを意味する。第４の信号（第４のコマンド）は、右眼フィルタ部３１０を閉めることを意味する。
【００４７】
コマンド受信間隔算出部３１２は、図４（ｂ）に示す第１から第４のコマンドを受信すると、これらのコマンドの受信タイミングに基づいてそれぞれのコマンド周期を算出する。具体的には、第１、第２、第３、第４のコマンドの受信を１受信周期とすると、コマンド受信間隔算出部３１２は、これらを複数周期分受信する。本実施の形態では、コマンド受信間隔算出部３１２は、Ｎ周期分これらのコマンドを受信するとする。
【００４８】
コマンド受信間隔算出部３１２は、コマンドの種類毎にそれぞれの周期を算出する。図４（ｂ）の例では、第１のコマンドは、Ｔ１１、Ｔ１２、Ｔ１３の間隔で、受信部３１０がコマンドを受信する。これより、コマンド受信間隔算出部３１２は、この平均をとることで、第１のコマンドの受信周期（Ｔ１）を算出することができる。第１のコマンドの受信周期（Ｔ１）は、図４（ｂ）の場合に、
Ｔ１  ＝  （Ｔ１１＋Ｔ１２＋Ｔ１３）／３
となる。
【００４９】
第２のコマンド受信周期（Ｔ２）、第３のコマンド受信周期（Ｔ３）、第４のコマンド受信周期（Ｔ４）についても、図４（ｃ−１）、図４（ｃ−２）、図４（ｃ−３）、からそれぞれ、
Ｔ２  ＝  （Ｔ２１＋Ｔ２２＋Ｔ２３）／３
Ｔ３  ＝  （Ｔ３１＋Ｔ３２＋Ｔ３３）／３
Ｔ４  ＝  （Ｔ４１＋Ｔ４２＋Ｔ４３）／３
となる。
【００５０】
なお、本実施の形態では、第１から第４のコマンド受信周期を、Ｎ周期分受信した信号の受信間隔の平均として算出したが、本出願の発明はこれに限定されるものではない。その他の方法として、中間値を採用するものであってもよいし、最小値、最大値を除いた分での平均値を用いるものであっても良い。つまり、実際に受信した受信信号の受信間隔に基づいて代表となる受信間隔を算出するものであればいずれの算出方法であってもよい。
【００５１】
コマンド受信間隔間出部３１２は、算出したコマンド毎の受信間隔と、それぞれのコマンドを最後に受信した時期とから、次に各コマンドを受信するタイミングを算出することができる。コマンド受信間隔算出部３１２は、算出したコマンド毎の受信周期をメモリ部３０６に保持する。
【００５２】
図８は、コマンド受信間隔算出部３１２が、コマンド毎の受信周期を算出する場合の処理フローを示すフローチャートである。
【００５３】
（ステップＳ８０１）
コマンド受信間隔算出部３１２は、コマンドの受信を開始する。
【００５４】
（ステップＳ８０２）
コマンド受信間隔算出部３１２は、Ｎ受信周期のコマンドの受信が完了したか否かを判定する。Ｎ受信周期分のコマンドの受信が完了していない場合は、コマンド受信間隔算出部３１２は、ステップＳ８０１に制御を戻す。Ｎ受信周期分のコマンドの受信が完了している場合は、コマンド受信間隔算出部３１２は、ステップＳ８０３に制御を移す。
【００５５】
（ステップＳ８０３）
コマンド受信間隔算出部３１２は、受信したＮ受信周期分のコマンド受信タイミングから各コマンドの受信周期を算出する。
【００５６】
（ステップＳ８０４）
コマンド受信間隔算出部３１２は、算出したコマンド毎の受信周期から代表となるそれぞれの受信周期を決定する。
【００５７】
以上の処理によりコマンド受信間隔算出部３１２は、コマンド毎の受信周期を取得することができる。
【００５８】
なお、コマンド受信間隔算出部３１２は、上記のコマンド毎の周期を、一度決定した周期に必ずしも固定する必要はない。コマンドを受信するたびに、当該周期を更新するものであってもよい。この場合、例えば、前回算出のコマンド受信間隔の平均値と今回のコマンド間隔の加重平均を計算したものを新しいコマンド受信間隔とする方法もある。このようにすることで、立体映像表示装置側で表示周期をシーン毎に変化させる場合等に、立体映像視聴用眼鏡１５０は、コマンド周期の変化を追随されることができる。
【００５９】
＜コマンド受信期間の設定について＞
コマンド受信期間制御部３１３は、コマンド受信間隔算出部３１２が算出し、メモリ部３０６等に保持されている、コマンド毎の受信間隔と最後のそれぞれのコマンドを受信した時期とに基づいてフィルタ制御部３１４を制御する。
【００６０】
立体映像視聴用眼鏡１５０の右眼フィルタ部３０９及び左眼フィルタ部３１０は、立体映像表示装置１００が表示する左右の映像と同期して基本的に開閉の制御が行われる。立体映像表示装置１００が表示する左右の立体映像の周期が一定であれば、例えば１２０Ｈｚで映像がそれぞれの映像が表示される場合、右眼フィルタ部３０９と、左眼フィルタ部３１０もこれに従った動作となる。
【００６１】
そのため、コマンド受信期間制御部３１３は、立体映像表示装置１００が送信するコマンドの周期が一定であるとすれば、コマンド受信間隔算出部３１２が算出したコマンド毎の周期に従って、コマンドを受信するタイミングを予め予測することが可能となる。そこで、コマンド受信期間制御部３１３は、コマンドを受信する期間にのみ、入力切り替え部３１１を有効にして、受信部３０１、増幅部３０２から入力される信号を演算部３０４に取り込む。反対に、コマンドが受信できないと予測される期間については、コマンド受信期間制御部３１３は、入力切り替え部３１１を無効にすることで、外部から演算部３０４への信号入力を停止する。
【００６２】
図５（ｂ）は、図５（ａ）に示される立体映像表示装置からのコマンドに対して、コマンド受信期間制御部３１３により、入力切り替え部３１１が制御されている状態を示す図である。図５（ｂ）においてＨｉｇｈの部分は、入力切り替え部３１１が有効にされていることを示す。図５（ｂ）においてＬｏｗの部分は、入力切り替え部３１１が無効にされていることを示す。
【００６３】
コマンド受信期間制御部３１３は、第１のコマンド及び第４のコマンドに対して、コマンド受信間隔算出部３１２が算出した各コマンドの周期に基づいて、入力切り替え部３１１を有効にしている（図５（ｂ））。コマンド受信期間制御部３１３は、コマンドが受信されると予測される時間よりも予め早めに入力切り替え部３１１を有効にしておく。そこから所定時間、図５（ｂ）の第１のコマンドの場合ではＤ１、入力切り替え部３１１を有効にしておく。これにより、立体映像表示装置から第１のコマンドの送信タイミングが多少早まったり、遅れたりした場合でも、受信期間Ｄ１の間であれば、第１のコマンドを立体映像視聴用眼鏡１５０は受信することが可能となる。コマンド受信期間制御部３１３は、受信期間Ｄ１の経過後に、入力切り替え部３１１を無効にする。コマンド受信期間制御部３１３は、第１のコマンドに対してこの処理を周期Ｔ１で繰り返すように行う。第４のコマンドについても同様に、コマンド受信期間制御部３１３は、早めに入力切り替え部３１１を有効にし、期間Ｄ４だけ有効状態を維持し、周期Ｔ４で制御している。
【００６４】
なお、コマンド受信期間制御部３１３は、第２のコマンドと第３のコマンドについては、第１のコマンド、第４のコマンドの場合と異なる処理を行っている。この場合は、コマンド受信期間制御部３１３は、第２のコマンドと第３のコマンドとの受信を同じ受信期間Ｄ２内で行っている。これは、コマンド受信間隔算出部３１２による、各コマンド毎の受信間隔と受信時期との関係による。つまり、第２のコマンドを受信した後、第３のコマンドを受信するまでの期間が所定時間より短い場合、この場合にはコマンド受信期間制御部３１３は、入力切り替え部３１１を常に有効にしておき、両方のコマンドの受信を１期間内で完了するように制御する。
【００６５】
これにより、入力切り替え部３１１が無効となっている期間に第３のコマンドが立体映像表示装置１００から送信された場合の、演算部３０４により受信信号の取り込みミスを防ぐことができる。
【００６６】
また、コマンド受信期間制御部３１３は、上記のようにコマンド受信期間の設定を常に行う必要はない。立体映像表示装置１００からのコマンド受信が十分に予測等できる場合にのみ、上記処理を行えばよい。
【００６７】
そのため、立体映像視聴用眼鏡１５０が起動直後の初期化状態や、十分にＮ受信周期のコマンドを受信できていない場合（図６）、コマンド受信期間制御部３１３は、入力切り替え部３１１を常に有効状態しておいてよい。
【００６８】
さらに、コマンド受信期間制御部３１３は、予測したコマンド受信期間において、コマンドが受信できない場合（図７）には、その後の処理等において、入力切り替え部３１１を常に有効状態としておいてもよい。
【００６９】
図７（ｂ）の場合は、最後に予測した第２と第３のコマンドが受信できなかった場合、コマンド受信期間制御部３１３は、次のコマンド受信期間から常に入力切り替え部３１１を有効にしている場合である。
【００７０】
また別の方法として図７（ｃ）の場合がある。この場合は、最後に予測した第２と第３のコマンドが受信できない場合は、次にコマンドを受信するまで入力切り替え部３１１を常に有効にしておく場合である。
【００７１】
以上により、本実施の形態では、コマンドの受信が予測される期間にのみ入力切り替え部を制御することで、演算部３０４にコマンドが取り込まれる。反対にコマンド受信期間外は、演算部３０４は、いずれの信号も受信しない。そのため、立体映像視聴用眼鏡１５０は、ノイズを受信する可能性を低減することが可能となり、ノイズによる制御の乱れを低減することとなる。
【００７２】
なお、本実施の形態で説明した演算部３０４（入力切り替え部３１１、コマンド受信間隔算出部３１２、コマンド受信期間制御部３１３、フィルタ制御部３１４）は、図２で示したＣＰＵ２０４のソフトウェアプログラムとして実現することも、ＦＰＧＡ等のハードウェア構成として実現することも可能である。
【００７３】
上述された実施形態は、以下の構成を主に備える。
【００７４】
上述の実施形態の一局面に係る立体映像視聴用眼鏡は、外部から受信したコマンドの入力の有効／無効を制御する入力切り替え部と、前記外部から受信したコマンドに基づいて、コマンド毎の周期を算出するコマンド受信間隔算出部と、前記コマンド毎の周期に基づいて、次にコマンドを受信する期間を決定し、当該期間に前記入力切り替え部を有効に設定するコマンド受信期間制御部と、前記コマンド受信期間制御部により入力切り替え部が有効にされた期間に外部から受信したコマンドに基づいて、視聴者の左右両眼に入射する光量を調整する左眼フィルタ部と右眼フィルタ部とを制御するフィルタ制御部と、を備えることを特徴とする。
【００７５】
これにより、外部からのコマンド受信がある期間に立体映像視聴用眼鏡はコマンドの受け入れを行うので、ノイズを受信する確率が低くなり、立体映像視聴用眼鏡の制御が乱される可能性を低くすることができる。
【００７６】
上記構成において、前記コマンド受信期間制御部は、外部からのコマンドが受信できないと決定した期間については、前記入力切り替え部を無効に設定することが好ましい。
【００７７】
上記構成によれば、立体映像視聴用眼鏡は、ノイズによりその制御を乱される可能性を低減することができる。
【００７８】
上記構成において、前記コマンド受信期間制御部は、一つのコマンドとそれに続くコマンドとの受信時期が所定の時間以内の場合には、該一つのコマンドとそれに続くコマンドとの受信期間を同一の期間として決定することが好ましい。
【００７９】
上記構成によれば、受信信号の取り込みミスを防ぐことができる。
【産業上の利用可能性】
【００８０】
本出願の発明は立体映像表示装置からの信号に基づいてシャッター（フィルター）の開閉制御を行う立体映像視聴用眼鏡に利用である。
【図１】
0003173405.tif 000003
【図２】
0003173405.tif 000004
【図３】
0003173405.tif 000005
【図４】
0003173405.tif 000006
【図５】
0003173405.tif 000007
【図６】
0003173405.tif 000008
【図７】
0003173405.tif 000009
【図８】
0003173405.tif 000010
【手続補正書】
【提出日】平成23年8月12日(2011.8.12)
【手続補正１】
【補正対象書類名】実用新案登録請求の範囲
【補正対象項目名】全文
【補正方法】変更
【補正の内容】
【実用新案登録請求の範囲】
【請求項１】
外部から受信したコマンドの入力の有効／無効を制御する入力切り替え部と、
前記外部から受信したコマンドに基づいて、コマンド毎の周期を算出するコマンド受信間隔算出部と、
前記コマンド毎の周期に基づいて、次にコマンドを受信する期間を決定し、当該期間に前記入力切り替え部を有効に設定するコマンド受信期間制御部と、
前記コマンド受信期間制御部により入力切り替え部が有効にされた期間に外部から受信したコマンドに基づいて、視聴者の左右両眼に入射する光量を調整する左眼フィルタ部と右眼フィルタ部とを制御するフィルタ制御部と、
を備える立体映像視聴用眼鏡。
【請求項２】
前記コマンド受信期間制御部は、外部からのコマンドが受信できないと決定した期間については、前記入力切り替え部を無効に設定する、
請求項１に記載の立体映像視聴用眼鏡。
【請求項３】
前記コマンド受信期間制御部は、一つのコマンドとそれに続くコマンドとの受信時期が所定の時間以内の場合には、該一つのコマンドとそれに続くコマンドとの受信期間を同一の期間として決定する、
請求項１に記載の立体映像視聴用眼鏡。
【手続補正２】
【補正対象書類名】明細書
【補正対象項目名】全文
【補正方法】変更
【補正の内容】
【考案の詳細な説明】
【技術分野】
【０００１】
本考案は、立体映像を表示する立体映像表示装置から送信される同期信号を受信し、視聴者へ立体映像を視聴させるための立体映像視聴用眼鏡及びその制御方法に関する。
【背景技術】
【０００２】
立体映像を視聴する方法としては様々な方式が提案されている。その一つとして、立体映像を構成する左右両眼それぞれの視点での映像を時間的に交互に表示する表示装置と、該表示装置の左右それぞれの視点での映像の表示と同期して視聴者の左右それぞれの眼の前に設けられたシャッターを開閉する映像視聴用眼鏡と、により、視聴者が立体映像を視聴できる立体映像システムがある（例えば、特許文献１）。
【０００３】
立体映像表示装置から、立体映像視聴用眼鏡へ同期信号を伝達する際に、無線や赤外線をつかったワイヤレス通信で伝送を行うと、立体映像視聴用眼鏡は同期信号以外のノイズ、例えば背景雑音（バックグラウンドノイズ）や他の機器が発する信号等、も受信する。立体映像視聴用眼鏡は、これらのノイズによりその制御が乱される可能性がある。
【先行技術文献】
【特許文献】
【０００４】
【特許文献１】米国特許第５６５４７４９号明細書
【考案の概要】
【考案が解決しようとする課題】
【０００５】
そこで、本出願の考案ではこれらのノイズが立体映像視聴用眼鏡に及ぼす影響を低減することを目的とするものである。
【課題を解決するための手段】
【０００６】
本考案の一局面に係る立体映像視聴用眼鏡は、外部から受信したコマンドの入力の有効／無効を制御する入力切り替え部と、外部から受信したコマンドに基づいてコマンド毎の周期を算出するコマンド受信間隔算出部と、コマンド毎の周期に基づいて、次にコマンドを受信する期間を決定し、当該期間に入力切り替え部を有効に設定するコマンド受信期間制御部と、コマンド受信期間制御部により入力切り替え部が有効にされた期間に外部から受信したコマンドに基づいて、視聴者の左右両眼に入射する光量を調整する左眼フィルタ部と右眼フィルタ部とを制御するフィルタ制御部と、を備える。
【図面の簡単な説明】
【０００７】
【図１】本実施の形態で説明する立体映像表示装置と立体映像視聴用眼鏡からなる立体映像システムの構成図である。
【図２】本実施の形態で説明する立体映像視聴用眼鏡のハードウェア構成図である。
【図３】本実施の形態で説明する立体映像視聴用眼鏡の機能構成図である。
【図４】立体映像視聴用眼鏡が受信するコマンドの受信タイミングとフィルタの開閉状態を示す図である。
【図５】本実施の形態で説明するコマンド受信期間制御部がコマンド受信期間を設定した場合の例を示す図である。
【図６】コマンド受信期間制御部が初期化時にコマンド受信を常に有効とする場合の図である。
【図７】コマンド受信期間制御部がコマンドを受信できなくなった場合に、コマンド受信を常に有効とする場合の図である。
【図８】コマンド受信間隔算出部がコマンドの受信周期を算出する処理を示すフローチャートである。
【考案を実施するための形態】
【０００８】
＜立体映像表示システム構成＞
図１は、立体映像を表示する映像表示装置１００と、映像表示装置１００が表示する立体映像を視聴する際に視聴者が装着する映像視聴用眼鏡１５０と、を備える映像表示システムを示した図である。
【０００９】
表示部１１０は、映像表示装置１００が視聴者に表示する映像を表示する部分である。立体映像を表示する場合は、時間軸上で、左眼用の映像と右眼用の映像を交互、又は、一定間隔毎に切り替えて表示する。
【００１０】
同期信号送信部１２０は、表示部１１０に表示する立体映像と同期した同期信号を外部、特に、映像視聴用眼鏡１５０へ送信する。なお、以下の説明では、同期信号の送受信に、赤外線を用いた場合を例として説明する。
【００１１】
映像視聴用眼鏡１５０は、右眼光学フィルタ部１６０と、左眼光学フィルタ部１７０と、同期信号受信部１８０と、を備える。
【００１２】
右眼光学フィルタ部１６０は、当該映像視聴用眼鏡１５０を着用した視聴者の右眼へ入射する光を制御する。より具体的には、映像表示装置１００の表示部１１０に表示された映像による光が右眼へ入射する光量、又は、光の特性を、調整、又は、変更する。
【００１３】
左眼光学フィルタ部１７０は、右眼光学フィルタ部１６０と同様に左眼へ入射する光を制御する。
【００１４】
同期信号受信部１８０は、映像表示装置１００の同期信号送信部１２０から送信される同期信号を受信する。
【００１５】
映像表示システムは、以上の構成を連携させて、視聴者へ立体映像を視聴させる。映像表示装置１００の表示部１１０には、立体映像が、例えば１２０Ｈｚの速度で、左眼用の映像と右眼用の映像を交互、又は、一定間隔毎に切り替えて表示する。同期信号送信部１２０は、表示部１１０に表示される左眼用の映像と右眼用の映像との切り替えと同期した同期信号を送信する。
【００１６】
映像視聴用眼鏡１５０は、映像表示装置１００の同期信号送信部１２０から出力された同期信号を同期信号受信部１８０で受信する。映像視聴用眼鏡１５０は、同期信号を受信すると、受信した同期信号に基づいて左眼光学フィルタ部１７０と右眼光学フィルタ部１６０とを制御して、映像視聴用眼鏡１５０を着用した視聴者の左眼、右眼へ入射する光量、又は、光の特性を制御する。例えば、映像表示装置の表示部１１０に左眼用の映像が表示されていることを示す同期信号を受信すると、左眼光学フィルタ部１７０を制御して左眼へ入射する光量を増大させる。このとき、右眼光学フィルタ部１６０では、右眼へ入射する光量を減光させる。この結果、視聴者は表示部１１０に表示された左眼用の映像を、左眼で視聴し、右眼では視聴しないこととなる。反対に、表示部１１０に表示される映像が右眼用の映像であることを示す同期信号を受信すると、左眼光学フィルタ部１７０は、左眼へ入射する光量を減光し、右眼光学フィルタ部１６０は、右眼へ入射する光量を増大させる。この結果、表示部１１０に表示された右眼用の映像は、視聴者の右眼で視聴し、左眼では視聴しないこととなる。
【００１７】
この際、表示部１１０に表示される左眼用の映像と右眼用の映像が、視聴者の視差の分だけ異なる映像であった場合、視聴者は、表示部１１０に表示される映像に視差があると知覚する。その結果、表示部１１０が略平面状の形態を持つ表示デバイスであっても、そこに表示される映像が立体的であると視聴者は感じることができる。
【００１８】
＜立体映像視聴眼鏡のハードウェア構成＞
図２は、映像視聴用眼鏡１５０のハードウェア構成を示した図である。映像視聴用眼鏡１５０は、ハードウェア構成として、赤外線受光センサ（ＩＲセンサ）２０１と、アンプ２０２と、ＬＥＤ２０３と、ＣＰＵ２０４と、スイッチ（ＳＷ）２０５と、ＲＯＭ２０６と、ＲＡＭ２０７と、クロック（ＣＬＫ）２０８と、アナログスイッチ２０９と、シャッター２１０と、アナログスイッチ２１１と、シャッター２１２とを有する。
【００１９】
ＩＲセンサ２０１は、立体映像表示装置１００から送信される同期信号を受信するセンサである。ＩＲセンサ２０１は、受光した赤外線を電気信号に変換する。本実施の形態では同期信号は赤外線により伝搬させるものとして説明するが、これに限定するものではない。無線のようにワイヤレス方式により同期信号が伝搬されるものであれば他の方式を用いても良い。
【００２０】
アンプ２０２は、ＩＲセンサ２０１が出力した電気信号を後段の処理ブロックで処理しやすいよう、適切に電気信号を増幅等する。
【００２１】
ＬＥＤ２０３は、立体映像視聴用眼鏡１５０が動作中、又は、スイッチ２０５を入力して電源を入れた場合にユーザにその動作内容を明示するために、点灯等するものである。
【００２２】
ＣＰＵ２０４は、立体映像視聴用眼鏡１５０の全般を制御する。本実施の形態では、ＣＰＵを例として説明するが、これ以外にもＤＳＰやＦＰＧＡ等で同様の処理を行うものであってもよい。
【００２３】
スイッチ（ＳＷ）２０５は、外部から立体映像視聴用眼鏡１５０への入力を実現するインターフェースである。
【００２４】
ＲＯＭ２０６は、ＣＰＵ２０４等が動作するためのプログラムや、動作パラメータ、初期値等を保持する。ＲＯＭ２０６は、書換え可能なフラッシュメモリ等を用いるものであっても良い。
【００２５】
ＲＡＭ２０７は、ＣＰＵ２０４のプログラムが動作時に一時的に保持する変数値等を保持する。
【００２６】
クロック（ＣＬＫ）２０８は、ＣＰＵ２０４やその他のハードウェア構成部を動作させるための基準クロックを発振する。
【００２７】
アナログスイッチ２０９、２１１は、後述するシャッター２１０、２１２の開閉動作を駆動させるための駆動処理を行う。二つのアナログスイッチ２０９と２１１が設けられているのは、左右両眼のシャッター２１０、２１２をそれぞれに駆動させるために必要となるからである。
【００２８】
シャッター２１０、２１２は、視聴者の左右それぞれの眼の前に設けられ、立体映像表示装置１００が表示する映像と同期して開閉される。
【００２９】
＜立体映像視聴眼鏡の機能構成＞
図３は、立体映像視聴用眼鏡１５０の機能構成を示す図である。立体映像視聴用眼鏡１５０は、機能構成として、受信部３０１と、増幅部３０２と、表示部３０３と、演算部３０４と、入力部３０５と、メモリ部３０６と、基準信号生成部３０７と、駆動部３０８と、右眼フィルタ部３０９と、左眼フィルタ部３１０と、を有する。
【００３０】
受信部３０１は、立体映像表示装置１００から送信される同期信号を受信する。受信部３０１は、図２のＩＲセンサ２０１に相当する。
【００３１】
増幅部３０２は、受信部３０１が受信した信号を増幅する。増幅部３０２は、図２のアンプ２０２に相当する。
【００３２】
表示部３０３は、立体映像視聴用眼鏡１５０がユーザに各種の情報を表示する。表示部３０３は、図２でいえばＬＥＤ２０３に相当するが、表示方式はＬＥＤに限定されるものではない。その他の方式でユーザに情報を表示するものであればいずれの実現方法であってもよい。
【００３３】
演算部３０４は、立体映像視聴用眼鏡１５０の全体制御を行う。演算部３０４は、図２のＣＰＵ２０４に相当する。
【００３４】
入力部３０５は、ユーザーからの各種指示等を受け付ける。入力部３０５は、図２のスイッチ２０５に相当する。
【００３５】
メモリ部３０６は、各種の情報を恒久的に、又は一時的に保持する。メモリ部３０６は、図２のＲＯＭ２０６、ＲＡＭ２０７に相当する。
【００３６】
基準信号生成部３０７は、演算部３０４等が動作に必要とする基準信号を生成する。基準信号生成部３０７は、図２のクロック２０８に相当する。
【００３７】
駆動部３０８は、後述する右眼フィルタ部３０９や左眼フィルタ部３１０のシャッター等を動作させる信号を生成して出力する。駆動部３０８は、図２のアナログスイッチ２０９、２１１に相当する。
【００３８】
右眼フィルタ部３０９、左眼フィルタ部３１０は、視聴者の左右の眼へ入射する光量を制御する。右目フィルタ部３０９、左眼フィルタ部３１０は、図２のシャッター２１０、２１２に相当する。
【００３９】
演算部３０４は、さらに入力切り替え部３１１と、コマンド受信間隔算出部３１２と、コマンド受信期間制御部３１３と、フィルタ制御部３１４と、を有する。
【００４０】
入力切り替え部３１１は、受信部３０１、増幅部３０２から入力される同期信号を演算部３０４が受け付けるか否かを制御する。入力切り替え部３１１は、例えば図２のＣＰＵ２０４における入力ポートの有効／無効等に相当する。
【００４１】
コマンド受信間隔算出部３１２は、受信部３０１等で受信する各種信号の受信周期を算出する。受信周期の算出方法については後述する。
【００４２】
コマンド受信期間制御部３１３は、コマンド受信間隔算出部３１２により算出された各種信号の受信周期に基づいて、外部からの受信信号（コマンド等）を受け付ける期間と受け付けない期間とを決定する。コマンド受信期間制御部３１３は、決定した受信期間の間だけ、入力切り替え部３１１を制御することで、外部からの受信信号を後述するフィルタ制御部３１４に取り込む。
【００４３】
フィルタ制御部３１４は、外部からの受信信号に従って、フィルタ駆動部３０８を介して右眼フィルタ部３０９と、左眼フィルタ部３１０との開閉を制御する。
【００４４】
なお、本実施の形態で説明する図３の機能構成と図２のハードウェア構成の対応は、一例であり、本出願の考案はこの対応関係に限定するものではない。
【００４５】
＜コマンド受信信号の周期の算出＞
図４は、受信信号の受信タイミングを示す図である。図４（ａ−１）は、右眼フィルタ部３０９の開閉状態を示す図である。信号がＨｉｇｈの期間は、フィルタが開いている（透過する光量が多い）ことを示す。信号がＬｏｗの期間はフィルタが閉じている（透過する光量が少ない）ことを示す。図４（ａ−２）は、左眼フィルタ部３１０の開閉状態を示す図である。図４（ａ−１）の場合と同様に、信号がＨｉｇｈの期間はフィルタが開いている、信号がＬｏｗの期間はフィルタが閉まっている、ことを示す。
【００４６】
図４（ｂ）は、受信部３０１等により受信される受信信号のタイミングを示す図である。第１の信号（第１のコマンド）は右眼フィルタ部３０９を開けることを意味する。第２の信号（第２のコマンド）は、右眼フィルタ部３０９を閉めることを意味する。第３の信号（第３のコマンド）は、左眼フィルタ部３１０を開けることを意味する。第４の信号（第４のコマンド）は、左眼フィルタ部３１０を閉めることを意味する。
【００４７】
コマンド受信間隔算出部３１２は、図４（ｂ）に示す第１から第４のコマンドを受信すると、これらのコマンドの受信タイミングに基づいてそれぞれのコマンド周期を算出する。具体的には、第１、第２、第３、第４のコマンドの受信を１受信周期とすると、コマンド受信間隔算出部３１２は、これらを複数周期分受信する。本実施の形態では、コマンド受信間隔算出部３１２は、Ｎ周期分これらのコマンドを受信するとする。
【００４８】
コマンド受信間隔算出部３１２は、コマンドの種類毎にそれぞれの周期を算出する。図４（ｂ）の例では、第１のコマンドは、Ｔ１１、Ｔ１２、Ｔ１３の間隔で、受信部３０１がコマンドを受信する。これより、コマンド受信間隔算出部３１２は、この平均をとることで、第１のコマンドの受信周期（Ｔ１）を算出することができる。第１のコマンドの受信周期（Ｔ１）は、図４（ｂ）の場合に、
Ｔ１  ＝  （Ｔ１１＋Ｔ１２＋Ｔ１３）／３
となる。
【００４９】
第２のコマンド受信周期（Ｔ２）、第３のコマンド受信周期（Ｔ３）、第４のコマンド受信周期（Ｔ４）についても、図４（ｃ−１）、図４（ｃ−２）、図４（ｃ−３）、からそれぞれ、
Ｔ２  ＝  （Ｔ２１＋Ｔ２２＋Ｔ２３）／３
Ｔ３  ＝  （Ｔ３１＋Ｔ３２＋Ｔ３３）／３
Ｔ４  ＝  （Ｔ４１＋Ｔ４２＋Ｔ４３）／３
となる。
【００５０】
なお、本実施の形態では、第１から第４のコマンド受信周期を、Ｎ周期分受信した信号の受信間隔の平均として算出したが、本出願の考案はこれに限定されるものではない。その他の方法として、中間値を採用するものであってもよいし、最小値、最大値を除いた分での平均値を用いるものであっても良い。つまり、実際に受信した受信信号の受信間隔に基づいて代表となる受信間隔を算出するものであればいずれの算出方法であってもよい。
【００５１】
コマンド受信間隔間出部３１２は、算出したコマンド毎の受信間隔と、それぞれのコマンドを最後に受信した時期とから、次に各コマンドを受信するタイミングを算出することができる。コマンド受信間隔算出部３１２は、算出したコマンド毎の受信周期をメモリ部３０６に保持する。
【００５２】
図８は、コマンド受信間隔算出部３１２が、コマンド毎の受信周期を算出する場合の処理フローを示すフローチャートである。
【００５３】
（ステップＳ８０１）
コマンド受信間隔算出部３１２は、コマンドの受信を開始する。
【００５４】
（ステップＳ８０２）
コマンド受信間隔算出部３１２は、Ｎ受信周期のコマンドの受信が完了したか否かを判定する。Ｎ受信周期分のコマンドの受信が完了していない場合は、コマンド受信間隔算出部３１２は、ステップＳ８０１に制御を戻す。Ｎ受信周期分のコマンドの受信が完了している場合は、コマンド受信間隔算出部３１２は、ステップＳ８０３に制御を移す。
【００５５】
（ステップＳ８０３）
コマンド受信間隔算出部３１２は、受信したＮ受信周期分のコマンド受信タイミングから各コマンドの受信周期を算出する。
【００５６】
（ステップＳ８０４）
コマンド受信間隔算出部３１２は、算出したコマンド毎の受信周期から代表となるそれぞれの受信周期を決定する。
【００５７】
以上の処理によりコマンド受信間隔算出部３１２は、コマンド毎の受信周期を取得することができる。
【００５８】
なお、コマンド受信間隔算出部３１２は、上記のコマンド毎の周期を、一度決定した周期に必ずしも固定する必要はない。コマンドを受信するたびに、当該周期を更新するものであってもよい。この場合、例えば、前回算出のコマンド受信間隔の平均値と今回のコマンド間隔の加重平均を計算したものを新しいコマンド受信間隔とする方法もある。このようにすることで、立体映像表示装置側で表示周期をシーン毎に変化させる場合等に、立体映像視聴用眼鏡１５０は、コマンド周期の変化を追随されることができる。
【００５９】
＜コマンド受信期間の設定について＞
コマンド受信期間制御部３１３は、コマンド受信間隔算出部３１２が算出し、メモリ部３０６等に保持されている、コマンド毎の受信間隔と最後のそれぞれのコマンドを受信した時期とに基づいてフィルタ制御部３１４を制御する。
【００６０】
立体映像視聴用眼鏡１５０の右眼フィルタ部３０９及び左眼フィルタ部３１０は、立体映像表示装置１００が表示する左右の映像と同期して基本的に開閉の制御が行われる。立体映像表示装置１００が表示する左右の立体映像の周期が一定であれば、例えば１２０Ｈｚで映像がそれぞれの映像が表示される場合、右眼フィルタ部３０９と、左眼フィルタ部３１０もこれに従った動作となる。
【００６１】
そのため、コマンド受信期間制御部３１３は、立体映像表示装置１００が送信するコマンドの周期が一定であるとすれば、コマンド受信間隔算出部３１２が算出したコマンド毎の周期に従って、コマンドを受信するタイミングを予め予測することが可能となる。そこで、コマンド受信期間制御部３１３は、コマンドを受信する期間にのみ、入力切り替え部３１１を有効にして、受信部３０１、増幅部３０２から入力される信号を演算部３０４に取り込む。反対に、コマンドが受信できないと予測される期間については、コマンド受信期間制御部３１３は、入力切り替え部３１１を無効にすることで、外部から演算部３０４への信号入力を停止する。
【００６２】
図５（ｂ）は、図５（ａ）に示される立体映像表示装置からのコマンドに対して、コマンド受信期間制御部３１３により、入力切り替え部３１１が制御されている状態を示す図である。図５（ｂ）においてＨｉｇｈの部分は、入力切り替え部３１１が有効にされていることを示す。図５（ｂ）においてＬｏｗの部分は、入力切り替え部３１１が無効にされていることを示す。
【００６３】
コマンド受信期間制御部３１３は、第１のコマンド及び第４のコマンドに対して、コマンド受信間隔算出部３１２が算出した各コマンドの周期に基づいて、入力切り替え部３１１を有効にしている（図５（ｂ））。コマンド受信期間制御部３１３は、コマンドが受信されると予測される時間よりも予め早めに入力切り替え部３１１を有効にしておく。そこから所定時間、図５（ｂ）の第１のコマンドの場合ではＤ１、入力切り替え部３１１を有効にしておく。これにより、立体映像表示装置から第１のコマンドの送信タイミングが多少早まったり、遅れたりした場合でも、受信期間Ｄ１の間であれば、第１のコマンドを立体映像視聴用眼鏡１５０は受信することが可能となる。コマンド受信期間制御部３１３は、受信期間Ｄ１の経過後に、入力切り替え部３１１を無効にする。コマンド受信期間制御部３１３は、第１のコマンドに対してこの処理を周期Ｔ１で繰り返すように行う。第４のコマンドについても同様に、コマンド受信期間制御部３１３は、早めに入力切り替え部３１１を有効にし、期間Ｄ４だけ有効状態を維持し、周期Ｔ４で制御している。
【００６４】
なお、コマンド受信期間制御部３１３は、第２のコマンドと第３のコマンドについては、第１のコマンド、第４のコマンドの場合と異なる処理を行っている。この場合は、コマンド受信期間制御部３１３は、第２のコマンドと第３のコマンドとの受信を同じ受信期間Ｄ２内で行っている。これは、コマンド受信間隔算出部３１２による、各コマンド毎の受信間隔と受信時期との関係による。つまり、第２のコマンドを受信した後、第３のコマンドを受信するまでの期間が所定時間より短い場合、この場合にはコマンド受信期間制御部３１３は、入力切り替え部３１１を常に有効にしておき、両方のコマンドの受信を１期間内で完了するように制御する。
【００６５】
これにより、入力切り替え部３１１が無効となっている期間に第３のコマンドが立体映像表示装置１００から送信された場合の、演算部３０４により受信信号の取り込みミスを防ぐことができる。
【００６６】
また、コマンド受信期間制御部３１３は、上記のようにコマンド受信期間の設定を常に行う必要はない。立体映像表示装置１００からのコマンド受信が十分に予測等できる場合にのみ、上記処理を行えばよい。
【００６７】
そのため、立体映像視聴用眼鏡１５０が起動直後の初期化状態や、十分にＮ受信周期のコマンドを受信できていない場合（図６）、コマンド受信期間制御部３１３は、入力切り替え部３１１を常に有効状態しておいてよい。
【００６８】
さらに、コマンド受信期間制御部３１３は、予測したコマンド受信期間において、コマンドが受信できない場合（図７）には、その後の処理等において、入力切り替え部３１１を常に有効状態としておいてもよい。
【００６９】
図７（ｂ）の場合は、最後に予測した第２と第３のコマンドが受信できなかった場合、コマンド受信期間制御部３１３は、次のコマンド受信期間から常に入力切り替え部３１１を有効にしている場合である。
【００７０】
また別の方法として図７（ｃ）の場合がある。この場合は、最後に予測した第２と第３のコマンドが受信できない場合は、次にコマンドを受信するまで入力切り替え部３１１を常に有効にしておく場合である。
【００７１】
以上により、本実施の形態では、コマンドの受信が予測される期間にのみ入力切り替え部を制御することで、演算部３０４にコマンドが取り込まれる。反対にコマンド受信期間外は、演算部３０４は、いずれの信号も受信しない。そのため、立体映像視聴用眼鏡１５０は、ノイズを受信する可能性を低減することが可能となり、ノイズによる制御の乱れを低減することとなる。
【００７２】
なお、本実施の形態で説明した演算部３０４（入力切り替え部３１１、コマンド受信間隔算出部３１２、コマンド受信期間制御部３１３、フィルタ制御部３１４）は、図２で示したＣＰＵ２０４のソフトウェアプログラムとして実現することも、ＦＰＧＡ等のハードウェア構成として実現することも可能である。
【００７３】
上述された実施形態は、以下の構成を主に備える。
【００７４】
上述の実施形態の一局面に係る立体映像視聴用眼鏡は、外部から受信したコマンドの入力の有効／無効を制御する入力切り替え部と、前記外部から受信したコマンドに基づいて、コマンド毎の周期を算出するコマンド受信間隔算出部と、前記コマンド毎の周期に基づいて、次にコマンドを受信する期間を決定し、当該期間に前記入力切り替え部を有効に設定するコマンド受信期間制御部と、前記コマンド受信期間制御部により入力切り替え部が有効にされた期間に外部から受信したコマンドに基づいて、視聴者の左右両眼に入射する光量を調整する左眼フィルタ部と右眼フィルタ部とを制御するフィルタ制御部と、を備えることを特徴とする。
【００７５】
これにより、外部からのコマンド受信がある期間に立体映像視聴用眼鏡はコマンドの受け入れを行うので、ノイズを受信する確率が低くなり、立体映像視聴用眼鏡の制御が乱される可能性を低くすることができる。
【００７６】
上記構成において、前記コマンド受信期間制御部は、外部からのコマンドが受信できないと決定した期間については、前記入力切り替え部を無効に設定することが好ましい。
【００７７】
上記構成によれば、立体映像視聴用眼鏡は、ノイズによりその制御を乱される可能性を低減することができる。
【００７８】
上記構成において、前記コマンド受信期間制御部は、一つのコマンドとそれに続くコマンドとの受信時期が所定の時間以内の場合には、該一つのコマンドとそれに続くコマンドとの受信期間を同一の期間として決定することが好ましい。
【００７９】
上記構成によれば、受信信号の取り込みミスを防ぐことができる。
【産業上の利用可能性】
【００８０】
本出願の考案は立体映像表示装置からの信号に基づいてシャッター（フィルター）の開閉制御を行う立体映像視聴用眼鏡に利用である。
【手続補正３】
【補正対象書類名】図面
【補正対象項目名】全図
【補正方法】変更
【補正の内容】
【図１】
0003173405.tif 000011
【図２】
0003173405.tif 000012
【図３】
0003173405.tif 000013
【図４】
0003173405.tif 000014
【図５】
0003173405.tif 000015
【図６】
0003173405.tif 000016
【図７】
0003173405.tif 000017
【図８】
0003173405.tif 000018